(57)【要約】      （修正有）【課題】握力の弱い者でもキャップを容易に開けることができ、しかも、保管場所を取らない小さなサイズのスクリューキャップオープナーを提供する。【解決手段】薄肉状の弾性体で構成される１ピースの物品からなり、全体形状は円形状の天面部とその周囲に垂下する筒状の側壁部からなる、内部側壁部が下広がりのテーパー部ＴＰを有する逆カップ型で、その側壁部には、側面部突起物ＴＢを有し、側壁部に隙間を持って被せられる、脱着が容易で、高齢者、女性などの握力の弱い者等や、素手でキャップを回して開けるのに難儀する者等が、安全かつ容易に、また、その時ピルプァーやキャップで指等を切りけがをする事もなく使用できる。【選択図】図３
0003216916.tif 000002
【実用新案登録請求の範囲】
【請求項１】
金属製キャップ本体を開けるときに用いられるスクリューキャップオープナーであって、弾性体で構成される１ピースの物品からなり、全体形状は円柱状で構成され、上部内面と下部の内面に傾斜を有する筒状の側壁部とからなる逆カップ型で成形された形状をしており、キャップに対して側壁部との間に突起物を設し、また、隙間を持って被せられた大きさであることを特徴とする、スクリューキャップオープナーである。
【考案の詳細な説明】
【考案の詳細な説明】
【技術分野】
【０００１】一般にウイスキーボトルや焼酎瓶等はキャップ本体にアルミニューム合金等の金属製を使用したキャップが主流とされ、開封後には漏れを防ぐために、必要以上に強くキャップをねじ込むこともあるが、いずれの場合でも手で把持して開けるのにかなりの力を必要とし、高齢者や女性等の握力の弱い者は、素手でキャップを開けるのに難儀する事が珍しくない。この新案は、金属製キャップを安全に、また、容易に開封出来ることを特徴とする。
【背景技術】
【０００２】一般に、ボトルと称されるガラス製ボトルのキャップは、アルミニューム合金等の金属製のキャップ本体の下部にピルファー（改ざん防止バンド）を介して首部への嵌合用リングを設けた形状をしている。そして、開封時には、キャップ本体をまわすことでピルプァーをねじ切り、嵌合用リングとともに開栓するようになっている。この場合手で把持して開けるのにかなりの力を必要とし、高齢者、女性などの握力の弱い者は、素手でキャップを回して開けるのに難儀することが珍しくない。また、その時ピルプァーやキャップで指等を切りけがをする事もある。【０００３】例えば、引用文献１に記載のキャップ外しは、素材に合成ゴムを用い、キャップの巻締め部と握り柄部とを一体型としたものであり、このキャップ外しを用いると、グリップ時に巻締め部先端の指掛け部を指で押さえながら、握り柄部を回転させることにより、巻締め部の巻締め力が強まるとともに、握り柄部の回転モーメントが増幅するので、僅かな力でキャップのねじり切り開けがたやすくできる。【０００４】また、引用文献２に記載の蓋オープナーは、内側に滑り止めを施したテープ状の帯の一端に紐状の輪を取り付け、その輪に手首を通して力点とするものである。すなわち、帯の反対側から蓋に巻き付け、マジックテープ（登録商標）で引っ付けた状態とし、その状態で紐状の輪を手首に回し、絞り具で手首に締め付けてから、その手を蓋の上に置き、通常の様に蓋を回す事ができるようになっている。
【先行技術文献】
【特許文献】
【０００５】
【特許文献１】特開平８−１８３５９４号公報
【特許文献２】特開平１１−２４５９９３号公報［０００５］
【発明が解決しようとする課題】
【０００６】一般にウイスキーボトルや焼酎瓶等はキャップ本体にアルミニューム合金等の金属製を使用したキャップが主流とされ、開封後には漏れを防ぐために、必要以上に強くキャップをねじ込むこともあるが、いずれの場合でも手で把持して開けるのにかなりの力を必要とし、高齢者や女性等の握力の弱い者は、素手でキャップを開けるのに難儀する事が珍しくない。金属製キャップを安全に、また、容易に開封出来る物品とする。
【課題を解決するための手段】
【０００７】本発明のスクリューキャップオープナーは、アルミニューム合金等の金属製キャップ本体の下部にピルファーを介して容器の首部への嵌合用リングを設けてなるアルミニューム合金等の金属製キャップを開けるときにそのキャップに被せて用いられるスクリューキャップオープナーであって、弾性体で構成される１ピースの物品からなり、全体形状は円形状の天面部とその周囲に垂下する筒状の側壁部とからなる逆カップ型で、その側壁部は下広がりのテーパーを有し、突起物を設した、キャップに対して側壁部との間に隙間を持って被せられる大きさであることを特徴とする。
【発明の効果】
【０００８】本発明のキャップオープナーは、従来のガラス性ボトルのアルミニューム合金等の金属製のキャップに載せるだけで簡単に被せることができ、その被せた状態で手で把持して回すと、側壁部の密着性能によりアルミニューム合金等の金属製キャップの外周に当接して滑りにくい状態となり、加えた回転力が確実にアルミニューム合金等の金属製キャップに伝わるので、高齢者、女性などの握力の弱い者でも安全、かつ容易に開けることができる。また、天面部に設けた円形状の穴から指で押さえる事により、容易にキャップ本体をスクリューキャップオープナーから取り外す事ができる。
【考案を実施するための形態】
【０００９】側壁部突起物（ＴＢ）は、金属製キャップの外周に対して摩擦抵抗を利用し密着し滑りにくくするためのもので、側壁部全体に設ける。凸の突起は特に形状は限定されるものではなく、使用する樹脂や成形条件等を勘案し、キャップに対して滑りにくい最適な形状に設計する。
【００１０】スクリューキャップオープナー（Ａ）は、弾性体は弾力性のある合成樹脂、合成ゴム等を使用素材とし、ある程度の保形性を有する使用素材が好ましい。保形性が乏しくなると、開栓時の安心感がなくなる。また、厚さの調整を最適な厚みとしない場合、開栓時において金属キャップへのフィット感が乏しくなる。
【００１１】側壁部突起物（ＴＢ）は、下広がりのテーパーに有している、そのことは、キャップへの被せやすさやキャップからの外しやすさ、を考慮したテーパー角度と側面突起物（ＴＢ）する。また、テーパー角度を設定することにより、キャップに被せるときにスッポリと入りやすく、開栓後にも外しやすく、スクリューキャップオープナー（Ａ）の機能を最大限事ができる。
【００１２】スクリューキャップオープナー（Ａ）は、キャップに被せたとき、ピルプァーを除いたキャップ本体を覆うサイズであることが望ましい。ピルプァーをねじ切って嵌合用リングを取り除く構造で開栓するので、キャップの嵌合用リングにかからない寸法であることが好ましい。
【００１３】図２のスクリューキャップオープナー（Ａ）の使用方法は次のようである。
まず、図２に示すように、ボトル（ＢＴ）にスクリューキャップオープナー（Ａ）を上から被せる。次いで、図５に示すように、手でしっかり握って矢印の方向へ回す。これにより、手で加えた力が回転力となってボトルキャップ（ＢＴＫ）に伝わり、ボトルキャップ（ＢＴＫ）本体が回ることでピルプァーがねじ切られ、嵌合用リングをとともに開栓されることになる。開栓後に漏れを防ぐために必要以上に強くボトルキャップ（ＢＴＫ）をねじ込んだ場合も、安全、かつ容易に開けることができる。
【００１４】本発明のスクリューキャップオープナーは、販売促進用、販売用として用いることができ、販売促進用として展開した場合、プラスチックフィルムの小袋に入れた状態でボトルの首部に吊り下げた状態で展開できる。また、販売用として店頭での販売する場合も販売促進用と同様なプラスチックフィルムの小袋に入れた状態や紙性の箱、プラスチックケース等に入れた状態で店頭に並べ単体として販売すことも可能である。
【００１５】本発明を実施するための形態についての詳細は、本発明によるスクリューキャップオープナーの外形は何ら限定されるものではなく、本発明の性能、趣旨を逸脱しない範囲において種々の変更が可能である。
【００１６】本発明のキャップオープナーを構成する弾性体の素材としては、シリコーン樹脂、エラストマー、低密度ポリエチレン等の軟質又は柔軟質樹脂が挙げられる。
樹脂の成形手段としては、シリコーン樹脂を用いる場合、コンプレッション成形やリム成形（２部材混合成形）によるのが好ましい。シリコーン樹脂以外のエラストマー、低密度ポリエチレンなどを用いる場合は、射出成形により作製する。
【図面の簡単な説明】
【図１】一般的なウイスキーボトルや焼酎瓶。
【図２】本発明のスクリューキャップオープナーを、容器の首部へ設置した状態。
【図３】本発明のスクリューキャップオープナーの側面断面図。
【図４】本発明のスクリューキャップオープナーの底面図。
【図５】本発明のスクリューキャップオープナーの使用方法の図。
【符号の説明】ＢＴ      ボトル本体
ＢＴＫ    金属製キャップ
Ａ        スクリューキャップオープナー
ＡＡ      スクリューキャップオープナー断面
ＡＯ      開口部
ＴＢ      側面部突起物
ＴＰ      下広がりテーパー部
【図１】
0003216916.tif 000003
【図２】
0003216916.tif 000004
【図３】
0003216916.tif 000005
【図４】
0003216916.tif 000006
【図５】
0003216916.tif 000007